(57)【特許請求の範囲】
【請求項１】
折り畳み部分で折り畳み可能な２つの筐体部を有し、２つのアンテナのうちの一方は、一方の筐体部において他方の筐体部から遠い側の端部に設置され、２つのアンテナのうちの他方は、前記他方の筐体部において前記一方の筐体部から遠い側の端部に設置されている折り畳み式携帯電話機に設けられ、ダイバーシチ機能により２つのアンテナのうちの受信レベルの高いアンテナを選択して、選択された方のアンテナである選択アンテナで電波を受信する携帯電話機のアンテナ回路装置であって、
前記折り畳み式携帯電話機の開閉状態を検出する開閉検出手段と、
前記選択アンテナが基地局から直接受信した電波と、受信レベルの低い非選択アンテナで受信され前記非選択アンテナから放射されて前記選択アンテナが受信した電波との位相差が無くなるように、前記非選択アンテナのインピーダンスを、前記折り畳み式携帯電話機の開閉状態に応じて変化させるインピーダンス調整手段とを備え、
前記インピーダンス調整手段は、
折り畳み式携帯電話機が開状態のときに、選択アンテナが基地局から直接受信した電波と、受信レベルの低い非選択アンテナで受信され前記非選択アンテナから放射されて前記選択アンテナが受信した電波との位相差が無くなるように、前記非選択アンテナのインピーダンスを調整する開状態用の位相調整部と、
前記折り畳み式携帯電話機が閉状態のときに、前記選択アンテナが前記基地局から直接受信した電波と、前記非選択アンテナで受信され前記非選択アンテナから放射されて前記選択アンテナが受信した電波との位相差が無くなるように、前記非選択アンテナのインピーダンスを調整する閉状態用の位相調整部と、
前記選択アンテナを無線部に接続するとともに、前記開閉検出手段が検出する開閉状態に応じて、前記非選択アンテナを前記開状態用の位相調整部または前記閉状態用の位相調整部に接続する切替スイッチとを含む
ことを特徴とする携帯電話機のアンテナ回路装置。
【請求項２】
切替スイッチの接続状態を制御する制御部を備え、
開状態用の位相調整部は、２つのアンテナのそれぞれに対応して設けられ、
閉状態用の位相調整部は、２つのアンテナのそれぞれに対応して設けられ、
切替スイッチは、２つのアンテナそれぞれに対応して設けられたスイッチ部を含み、一方のスイッチ部は、２つのアンテナのうちの一方のアンテナを、無線部、開状態用の位相調整部および閉状態用の位相調整部のうちのいずれかに接続し、他方のスイッチ部は、２つのアンテナのうちの他方のアンテナを、無線部、開状態用の位相調整部および閉状態用の位相調整部のうちのいずれかに接続し、
前記制御部は、選択アンテナと無線部とを接続するように選択アンテナに対応するスイッチ部を制御し、折り畳み式携帯電話機の開閉状態に応じて非選択アンテナと開状態用の位相調整部または閉状態用の位相調整部とを接続するように非選択アンテナに対応するスイッチ部を制御する
請求項１記載の携帯電話機のアンテナ回路装置。
【請求項３】
開閉検出手段は、プッシュ式スイッチ、ホールＩＣまたはリードスイッチで構成された
請求項１または請求項２記載の携帯電話機のアンテナ回路装置。
【発明の詳細な説明】
【０００１】
【発明の属する技術分野】
本発明は、開閉可能な折り畳み式携帯電話機に設けられたダイバーシチ機能により受信レベルの高いアンテナで電波を受信する携帯電話機のアンテナ回路装置に関する。
【０００２】
【従来の技術】
一般に、携帯電話機では、複数のアンテナを備えてダイバーシチ方式を採用している。具体的には、携帯電話機では、ホイップアンテナと内蔵アンテナの２つのアンテナを備え、ホイップアンテナは送受信共用アンテナとして、内蔵アンテナは受信専用アンテナとしてダイバーシチ受信方式を採用している。
【０００３】
携帯電話機は、ダイバーシチ機能により、電波の受信レベルの高いアンテナを選択して電波を受信する。携帯電話機が受信レベルの高い選択アンテナで電波を受信する際、携帯電話機が受ける電波の一部は、受信レベルの低い非選択アンテナでも受信される。非選択アンテナで受信された電波は、携帯電話機内の回路端で反射し、再び非選択アンテナより放射される。非選択アンテナより放射された電波の一部は、選択アンテナで受信される。
【０００４】
このとき、選択アンテナが基地局から直接受信した電波と、非選択アンテナから放射されて選択アンテナが受信した電波とでは位相差が生じているため、選択アンテナの電波の受信レベルは、選択アンテナが本来受信可能なレベルよりも低くなってしまうおそれがある。
【０００５】
図５は、アンテナが受信する電波の位相関係を示す波形図である。図５（Ａ）は、選択アンテナが基地局から直接受信した電波１００と、非選択アンテナから放射されて選択アンテナが受信した電波１０１との位相差が無い場合の波形図である。この場合、選択アンテナが最終的に受信する電波１０２は、２つの電波１００，１０１が合成されることにより、図５（Ａ）に示すように受信レベルが高くなる。
【０００６】
一方、図５（Ｂ）は、選択アンテナが基地局から直接受信した電波１１０と、非選択アンテナから放射されて選択アンテナが受信した電波１１１との位相差がある場合、すなわち２つの電波１１０，１１１の位相が１８０度ずれた場合の波形図である。この場合は、選択アンテナが最終的に受信する電波１１２は、２つの電波１１０，１１１が合成されることにより、図５（Ｂ）に示すように受信レベルが低下する。
【０００７】
このように、２つの電波１１０，１１１の位相差が生じることによる選択アンテナの受信レベルの低下を防止するため、携帯電話機のアンテナ装置に位相調整回路を付加し、位相調整回路によって非選択アンテナのインピーダンスを調整し、非選択アンテナから放射される電波１１１の位相を最適化する技術が実用化されている。
【０００８】
図６は、従来の携帯電話機のアンテナ回路装置の構成を示すブロック図である。なお、携帯電話機のアンテナ回路は、アンテナ１，２、アンテナスイッチ３、位相調整回路５，６及び制御部７から構成される。
【０００９】
図６において、アンテナ１は、携帯電話機の筐体から引き出しまたは収納可能な送受信共用アンテナとしてのホイップアンテナである。アンテナ２は、携帯電話機に内蔵された受信専用アンテナとしての内蔵アンテナである。
【００１０】
アンテナスイッチ３は、電波の受信時にダイバーシチ機能により受信レベルの検出が行われ、制御部７によって受信レベルの高いアンテナ１または２が選択され、制御部７からの制御信号に基づいて選択されたアンテナ１または２と無線部４との接続を切り替える切替スイッチである。無線部４は、基地局との間でアンテナ１または２を介して無線信号を送受信する。
【００１１】
位相調整回路５，６は、それぞれ、アンテナ１，２とアンテナスイッチ３との間に設けられ、選択されていない受信レベルの低いアンテナ１または２のインピーダンスを調整し、アンテナ１または２から放射される電波の位相を調整して最適化する回路である。制御部７は、受信レベルの高いアンテナ１または２を選択し、その選択したアンテナ１または２と無線部４との接続の切り替えを制御する制御信号をアンテナスイッチ３に送出する。
【００１２】
位相調整回路５の内部構成を図７に示す。なお、位相調整回路５と位相調整回路６の構成は同様であるため、図７において位相調整回路６の構成の図示を省略している。図７に示すように、位相調整回路５は、アンテナ１とアンテナスイッチ３との間に２つのコイル４１及びコイル４２が直列に接続され、コイル４１，４２の接続点と接地点との間にコンデンサ４３が接続されて構成されている。
【００１３】
位相調整回路５は、電波の受信時にアンテナ１が選択され、アンテナ１が無線部４と接続される場合には、アンテナ１と無線部４の整合回路として動作し、逆に、電波の受信時にアンテナ１が選択されず、アンテナ１が無線部４と接続されない場合には、上記したアンテナ１のインピーダンスを調整して放射する電波の位相を最適化する位相調整回路として動作する。
【００１４】
すなわち、図７に示す矢印Ａからアンテナスイッチ３を見たとき、アンテナスイッチ３側のインピーダンスが例えば５０Ωとなるように設計される。また、アンテナ１による電波の受信時に矢印Ｂから位相調整回路５を見たとき、位相調整回路５側のインピーダンスが５０Ωとなるように、位相調整回路５の回路定数が決定される。このように、アンテナ１による電波の受信時に、位相調整回路５がアンテナ１から無線部４に至る経路に設けられていない状態と等しくなる。これが、位相調整回路５による整合回路としての動作である。
【００１５】
一方、アンテナ１が選択されず、アンテナスイッチ３によってアンテナ１側が開放（ＯＰＥＮ）されているとき、非選択アンテナであるアンテナ１で受信された電波は、回路端で反射して位相調整回路５を通ってアンテナ１から放射される。このとき、電波が位相調整回路５を通過する際に、選択アンテナであるアンテナ２が基地局から直接受信する電波との位相差がなくなるように、電波の位相が調整されてアンテナ１から放射される。これが、位相調整回路５の位相調整動作である。
【００１６】
なお、アンテナ２側に接続されている位相調整回路６についても位相調整回路５と同様に動作する。
【００１７】
このように、位相調整回路５，６は、アンテナ１または２が受信用アンテナとして選択されたときには、アンテナ１または２と無線部４の整合回路として動作し、アンテナ１または２が受信用アンテナとして選択されなかったときには、アンテナ１または２の位相調整回路として動作することにより、選択アンテナ１，２の受信レベルの低下を防止することが可能となる。
【００１８】
【発明が解決しようとする課題】
しかし、図８に示すような折り畳み式携帯電話機では、ホイップアンテナ２１と内蔵アンテナ２２が携帯電話機の両端に配置されているため、携帯電話機の開閉状態に応じて、２つのアンテナ２１，２２の距離が変化する。すなわち、携帯電話機が開いた状態では、図８（Ａ）に示すように、２つのアンテナ２１，２２の距離Ｒ１は長くなり、携帯電話機が閉じた状態では、図８（Ｂ）に示すように、２つのアンテナ２１，２２の距離Ｒ２は短くなる。
【００１９】
ここで、選択アンテナが基地局より直接受信した電波と、非選択アンテナから放射され選択アンテナが受信した電波との位相差は、２つのアンテナ間の距離に応じて変化する。従って、折り畳み式の携帯電話機においては、開閉状態に応じて選択アンテナが受信する２つの電波の位相差が変化してしまうため、図６に示した位相調整回路５，６によって常に位相の最適化を行うのは不可能であり、その結果、常に最良の受信感度を得ることができないという課題があった。
【００２０】
本発明は、上記のような課題を解決するためになされたものであり、折り畳み式携帯電話機において開閉状態にかかわらず受信する電波の位相の最適化を行うことができ、常に最良の受信感度を得ることができる携帯電話機のアンテナ回路装置を得ることを目的とする。
【００２１】
【課題を解決するための手段】
以上の目的を達成するため、本発明の携帯電話機のアンテナ回路装置では、選択アンテナ（１または２）が基地局から直接受信した電波と、受信レベルの低い非選択アンテナ（２または１）で受信され非選択アンテナから放射されて選択アンテナが受信した電波との位相差が無くなるように、非選択アンテナのインピーダンスを折り畳み式携帯電話機の開閉状態に応じて変化させ、インピーダンス調整手段が、折り畳み式携帯電話機が開状態のときに、選択アンテナが基地局から直接受信した電波と受信レベルの低い非選択アンテナで受信され非選択アンテナから放射されて選択アンテナが受信した電波との位相差が無くなるように、非選択アンテナのインピーダンスを調整する開状態用の位相調整部と、折り畳み式携帯電話機が閉状態のときに、選択アンテナが基地局から直接受信した電波と非選択アンテナで受信され非選択アンテナから放射されて選択アンテナが受信した電波との位相差が無くなるように、非選択アンテナのインピーダンスを調整する閉状態用の位相調整部と、選択アンテナを無線部に接続するとともに、開閉検出手段が検出する開閉状態に応じて、非選択アンテナを開状態用の位相調整部または閉状態用の位相調整部に接続する切替スイッチとを含むことを特徴とする。
【００２２】
携帯電話機のアンテナ回路装置は、切替スイッチの接続状態を制御する制御部を備え、開状態用の位相調整部が、２つのアンテナのそれぞれに対応して設けられ、閉状態用の位相調整部が、２つのアンテナのそれぞれに対応して設けられ、切替スイッチが、２つのアンテナそれぞれに対応して設けられたスイッチ部を含み、一方のスイッチ部は、２つのアンテナのうちの一方のアンテナを、無線部、開状態用の位相調整部および閉状態用の位相調整部のうちのいずれかに接続し、他方のスイッチ部は、２つのアンテナのうちの他方のアンテナを、無線部、開状態用の位相調整部および閉状態用の位相調整部のうちのいずれかに接続し、制御部が、選択アンテナと無線部とを接続するように選択アンテナに対応するスイッチ部を制御し、折り畳み式携帯電話機の開閉状態に応じて非選択アンテナと開状態用の位相調整部または閉状態用の位相調整部とを接続するように非選択アンテナに対応するスイッチ部を制御するように構成されていてもよい。
【００２６】
開閉検出手段は、例えば、プッシュ式スイッチ、ホールＩＣまたはリードスイッチである。
【００２７】
【発明の実施の形態】
以下、本発明の実施の一形態を図面を参照して説明する。
実施の形態１．
図１は、実施の形態１の携帯電話機のアンテナ回路装置を示すブロック図である。本実施の形態１の携帯電話機のアンテナ回路は、アンテナ１，２、制御部７、アンテナスイッチ８、位相調整回路９Ａ，９Ｂ，１０Ａ，１０Ｂ及び開閉検出部１１から構成される。
【００２８】
図１において、アンテナ１は、携帯電話機の筐体から引き出しまたは収納可能な送受信共用アンテナとしてのホイップアンテナである。アンテナ２は、携帯電話機に内蔵された受信専用アンテナとしての内蔵アンテナである。無線部４は、基地局との間でアンテナ１または２を介して無線信号を送受信する。制御部７は、受信レベルの高いアンテナ１または２を選択し、その選択したアンテナ１または２と無線部４との接続の切り替えを制御する制御信号をアンテナスイッチ３に送出する。かかる構成は、図６に示したものと同様である。
【００２９】
アンテナスイッチ８は、制御部７からの制御信号に基づいて、選択されたアンテナ（例えば１）と無線部４とを接続し、また、開閉検出部１１からの検出信号に基づいて、選択されていない他のアンテナ（例えば２）と位相調整回路（例えば１０Ａ）とを接続する切替スイッチである。
【００３０】
位相調整回路９Ａ，９Ｂ，１０Ａ，１０Ｂは、それぞれ、選択されていない受信レベルの低いアンテナ１，２のインピーダンスを調整し、アンテナ１，２から放射される電波の位相を調整して最適化する回路である。位相調整回路９Ａ，９Ｂは、それぞれアンテナスイッチ８でアンテナ１側に接続され、また、位相調整回路１０Ａ，１０Ｂは、それぞれアンテナスイッチ８でアンテナ２側に接続される。
【００３１】
位相調整回路９Ａは、折り畳み式携帯電話機が開いた状態、すなわち図８（Ａ）のようにアンテナ１，２間の距離がＲ１の状態において、非選択アンテナであるアンテナ１のインピーダンスが位相調整として最適値になるように回路定数が調整されている。位相調整回路９Ｂは、折り畳み式携帯電話機が閉じた状態、すなわち図８（Ｂ）のようにアンテナ１，２間の距離がＲ２の状態において、非選択アンテナであるアンテナ１のインピーダンスが位相調整として最適値になるように回路定数が調整されている。
【００３２】
位相調整回路１０Ａは、折り畳み式携帯電話機が開いた状態において、非選択アンテナであるアンテナ２のインピーダンスが位相調整として最適値になるように回路定数が調整されている。位相調整回路１０Ｂは、折り畳み式携帯電話機が閉じた状態において、非選択アンテナであるアンテナ２のインピーダンスが位相調整として最適になるように回路定数が調整されている。
【００３３】
なお、位相調整回路９Ａ，９Ｂ，１０Ａ，１０Ｂは、図７に示したように、コイル及びコンデンサで構成される。
【００３４】
開閉検出部１１は、折り畳み式携帯電話機が開いた状態か閉じた状態かを検出し、開閉状態に応じたアンテナスイッチ８による接続の切り替えを制御する検出信号をアンテナスイッチ８に送出する。なお、開閉検出部１１は、物理的なプッシュ式のスイッチや、磁界の変化を利用して検出するホールＩＣ、リードスイッチなどで実現される。
【００３５】
次に、動作について説明する。
図２は、実施の形態１の携帯電話機のアンテナ回路装置の動作を説明するためのフローチャートである。
【００３６】
本実施の形態の折り畳み式携帯電話機では、受信を開始する前の受信準備状態（ステップＳ１）において、制御部７は、ダイバーシチ機能により２つのアンテナ１，２の受信レベルを検出して比較し（ステップＳ２）、どちらのアンテナで受信を行うかを選択して決定する。
【００３７】
なお、アンテナ１の方がアンテナ２よりも受信レベルが高く、制御部７によってアンテナ１が受信用アンテナとして選択されたものとして説明する。
【００３８】
制御部７は、受信レベルの高いアンテナ１を受信用アンテナとして決定すると、そのアンテナ１を無線部４に接続させる制御信号をアンテナスイッチ８に出力する。アンテナスイッチ８は、制御部７から出力された制御信号に基づいて、図１に示すようにアンテナ１を無線部４に接続する（ステップＳ３）。
【００３９】
一方において、アンテナ２のインピーダンスを調整することにより、アンテナ２から放射される電波の位相を最適化するために、アンテナスイッチ８は、非選択アンテナであるアンテナ２を位相調整回路１０Ａまたは１０Ｂに接続する必要がある。
【００４０】
ここで、上記したように、位相調整回路１０Ａは、折り畳み式携帯電話機が開いた状態において、アンテナ２のインピーダンスが位相調整として最適値になるように回路定数が調整されており、また、位相調整回路１０Ｂは、折り畳み式携帯電話機が閉じた状態において、アンテナ２のインピーダンスが位相調整として最適値になるように回路定数が調整されている。従って、アンテナスイッチ８は、折り畳み式携帯電話機が開いているときはアンテナ２を位相調整回路１０Ａに接続し、折り畳み式携帯電話機が閉じているときはアンテナ２を位相調整回路１０Ｂに接続するように、スイッチを切り替えなければならない。
【００４１】
開閉検出部１１は、折り畳み式携帯電話機の開閉状態を常に検出している（ステップＳ４）。開閉検出部１１は、折り畳み式携帯電話機の開状態を検出したときは、その開状態を通知する検出信号をアンテナスイッチ８に出力する。アンテナスイッチ８は、開閉検出部１１から出力された開状態を通知する検出信号に基づいて受信レベルの低いアンテナ２を位相調整回路１０Ａに接続する（ステップＳ５）。
【００４２】
逆に、開閉検出部１１は、折り畳み式携帯電話機の閉状態を検出したときは、その閉状態を通知する検出信号をアンテナスイッチ８に出力する。アンテナスイッチ８は、開閉検出部１１から出力された閉状態を通知する検出信号に基づいて受信レベルの低いアンテナ２を位相調整回路１０Ｂに接続する（ステップＳ６）。
【００４３】
なお、図１においては、アンテナ２は位相調整回路１０Ａと接続されており、折り畳み式携帯電話は開状態である。
【００４４】
その後、折り畳み式携帯電話機は、受信を開始する（ステップＳ７）。このとき、受信レベルの低いアンテナ２が接続される位相調整回路１０Ａまたは１０Ｂを携帯電話機の開閉状態に応じてアンテナスイッチ８によって切り替えているので、アンテナ２から放射される電波の位相が開閉状態にかかわらず常に位相調整回路１０Ａまたは１０Ｂにより最適化され、アンテナ２から放射される電波によってアンテナ１が受信する電波の受信レベルが低下することはない。
【００４５】
なお、上記説明の場合とは逆に、アンテナ２の方がアンテナ１よりも受信レベルが高く、制御部７によってアンテナ２が受信用アンテナとして選択された場合についても、同様に、受信レベルの高いアンテナ２が無線部４と接続され、受信レベルの低いアンテナ１が携帯電話機の開閉状態に応じて位相調整回路９Ａまたは９Ｂと接続される。
【００４６】
ちなみに、位相調整回路９Ａ，９Ｂ，１０Ａ，１０Ｂは、アンテナ１，２と無線部４との間に設けられているわけではないので、アンテナ１，２と無線部４の整合回路として動作することはない。
【００４７】
以上のように、本実施の形態１によれば、受信レベルの低い非選択アンテナの接続される位相調整回路が折り畳み式携帯電話機の開閉状態に応じて切り替わるように構成されているので、折り畳み式携帯電話機が開いているか閉じているかにかかわらず、常に非選択アンテナから放射される電波の位相を最適化することができ、選択アンテナの受信レベルの低下を防止することが可能となる。
【００４８】
実施の形態２．
図３は、実施の形態２の携帯電話機のアンテナ回路装置を示すブロック図である。本実施の形態２の携帯電話機のアンテナ回路装置は、アンテナ１，２、アンテナスイッチ３、制御部７、開閉検出部１１及び位相調整回路１２，１３から構成されている。すなわち図６に示した従来の携帯電話機のアンテナ回路装置における位相調整回路５，６を位相調整回路１２，１３に置き換えるとともに、開閉検出部１１を追加した構成である。
【００４９】
なお、位相調整回路１２，１３以外の構成については、図１及び図６で説明したものと同様であるため、重複する説明を省略する。
【００５０】
位相調整回路１２，１３は、それぞれ、アンテナ１，２とアンテナスイッチ３との間に設けられ、選択されていない受信レベルの低いアンテナ１または２のインピーダンスを調整し、アンテナ１または２から放射される電波の位相を最適化する回路である。
【００５１】
位相調整回路１２の内部構成を図４に示す。なお、位相調整回路１２と位相調整回路１３の構成は同様であるため、図４において位相調整回路１３の構成の図示を省略している。
【００５２】
図４に示すように、位相調整回路１２は、図７に示した従来の位相調整回路５の構成に、バイアスカット用のコンデンサ３４、検出信号の電圧調整用の抵抗３５及び印加電圧に応じて容量が変化するバラクタダイオード（可変容量ダイオード、バリキャップ）３６から成る回路を新たに追加した構成である。
【００５３】
すなわち、アンテナ１とアンテナスイッチ３との間に２つのコイル３１及びコイル３２が直列に接続され、コイル３１，３２の接続点と接地点との間にコンデンサ３３が接続されている。さらに、新たな構成として、コイル３１，３２の接続点と接地点との間にコンデンサ３４及びバラクタダイオード３６が直列に接続されるとともに、開閉検出部１１が抵抗３５を介してコンデンサ３４とバラクタダイオード３６の接続点に接続されている。
【００５４】
位相調整回路１２は、次のように動作する。まず、アンテナ１の受信レベルが高く、制御部７によってアンテナ１が受信用アンテナとして選択され、アンテナ１が無線部４と接続される場合は、位相調整回路１２は、アンテナ１と無線部４の整合回路として動作する。すなわち、アンテナ１の電波の受信時に、位相調整回路１２がアンテナ１から無線部４に至る経路に設けられていない状態と等しくなる。
【００５５】
次に、アンテナ１の受信レベルが低く、アンテナ１が受信用アンテナとして選択されず、アンテナ１が無線部４と接続されない場合は、位相調整回路１２は、アンテナ１のインピーダンスを調整して電波の位相を最適化する位相調整回路として動作する。
【００５６】
すなわち、アンテナ１が選択されず、アンテナスイッチ３によってアンテナ１側が開放（ＯＰＥＮ）されているとき、非選択アンテナであるアンテナ１で受信された電波は、回路端で反射して位相調整回路１２を通ってアンテナ１から放射される。このとき、電波が位相調整回路１２を通過する際に、選択アンテナであるアンテナ２が基地局から直接受信する電波との位相差がなくなるように、電波の位相が調整されてアンテナ１から放射される。
【００５７】
ここで、開閉検出部１１は、折り畳み式携帯電話機の開閉状態を常に検出している。開閉検出部１１は、折り畳み式携帯電話機の開状態を検出しているときは、検出信号の電圧をロウレベル（Ｌｏｗ）にする。このとき、コンデンサ３４とバラクタダイオード３６の接続点の電位はロウレベルとなり、バラクタダイオード３６に印加される電圧は小さく（ほとんど０Ｖに）なる。その結果、印加電圧に応じて変化するバラクタダイオード３６の容量も小さくなる。直列接続されたコンデンサ３４とバラクタダイオード３６の合成容量は、コンデンサ３４のみの容量とみなされる。従って、並列接続されたコンデンサ３３とコンデンサ３４の容量を足し合わせた容量が位相調整回路１２の合成容量となる。
【００５８】
逆に、開閉検出部１１は、折り畳み式携帯電話機の閉状態を検出しているときは、検出信号の電圧をハイレベル（Ｈｉｇｈ）にする。このとき、コンデンサ３４とバラクタダイオード３６の接続点の電位はハイレベルとなり、バラクタダイオード３６に印加される電圧は大きくになる。その結果、印加電圧に応じて変化するバラクタダイオード３６の容量も大きくなる。従って、位相調整回路１２の合成容量は、直列接続されたコンデンサ３４とバラクタダイオード３６の合成容量と、コンデンサ３３の容量とを足し合わせた容量となる。
【００５９】
このように、折り畳み式携帯電話機の開閉状態に応じて開閉検出部１１の検出信号の電圧レベルを変化させることにより、位相調整回路１２の合成容量を変化させているため、位相調整回路１２は携帯電話機の開閉状態に合わせて回路定数が最適値に変更され、最適な位相調整を行うことができる。
【００６０】
以上のように、本実施の形態２によれば、受信レベルの低い非選択アンテナの接続される位相調整回路の回路定数が折り畳み式携帯電話機の開閉状態に応じて変更するように構成されているので、実施の形態１の場合と同様に、折り畳み式携帯電話機が開いているか閉じているかにかかわらず、常に非選択アンテナから放射される電波の位相を最適化することができ、選択アンテナの受信レベルの低下を防止することが可能となる。
【００６１】
また、図４に示すように、位相調整回路１２（及び１３）は、図７に示した従来の位相調整回路５（及び６）の構成に、コンデンサ３４、抵抗３５及びバラクタダイオード３６から成る回路を新たに追加して構成されているので、従来回路から大幅な変更なしに最小限の部品の追加で実現することができ、コストや実装面積などの点で有利である。
【００６２】
【発明の効果】
以上のように、本発明によれば、携帯電話機のアンテナ回路装置を、選択アンテナが基地局から直接受信した電波と、受信レベルの低い非選択アンテナで受信され非選択アンテナから放射されて選択アンテナが受信した電波との位相差が無くなるように、非選択アンテナのインピーダンスを折り畳み式携帯電話機の開閉状態に応じて変化させ、インピーダンス調整手段が、折り畳み式携帯電話機が開状態のときに、選択アンテナが基地局から直接受信した電波と、受信レベルの低い非選択アンテナで受信され非選択アンテナから放射されて選択アンテナが受信した電波との位相差が無くなるように、非選択アンテナのインピーダンスを調整する開状態用の位相調整部と、折り畳み式携帯電話機が閉状態のときに、選択アンテナが基地局から直接受信した電波と、非選択アンテナで受信され非選択アンテナから放射されて選択アンテナが受信した電波との位相差が無くなるように、非選択アンテナのインピーダンスを調整する閉状態用の位相調整部と、選択アンテナを無線部に接続するとともに、開閉検出手段が検出する開閉状態に応じて、非選択アンテナを開状態用の位相調整部または閉状態用の位相調整部に接続する切替スイッチとを含むように構成されているので、折り畳み式携帯電話機が開いているか閉じているかにかかわらず、常に非選択アンテナから放射される電波の位相を最適化することができ、選択アンテナの受信レベルの低下を防止することができる。また、開閉状態に応じて確実にインピーダンスの異なる位相調整部を切り替えることができ、選択アンテナの受信レベルの低下を防止する効果を確実に達成することができる。
【００６７】
さらに、開閉検出手段を、プッシュ式スイッチ、ホールＩＣまたはリードスイッチで構成した場合には、確実に折り畳み式携帯電話機の開閉状態を検出することができる。
【図面の簡単な説明】
【図１】  実施の形態１の携帯電話機のアンテナ回路装置を示すブロック図である。
【図２】  実施の形態１の携帯電話機のアンテナ回路装置の動作を説明するためのフローチャートである。
【図３】  実施の形態２の携帯電話機のアンテナ回路装置を示すブロック図である。
【図４】  位相調整回路の内部構成を示す回路図である。
【図５】  アンテナが受信する電波の位相関係を示す波形図である。
【図６】  従来の携帯電話機のアンテナ回路装置の構成を示すブロック図である。
【図７】  位相調整回路の内部構成を示す回路図である。
【図８】  折り畳み式携帯電話機のアンテナ配置を示す構成図である。
【符号の説明】
１，２  アンテナ（選択アンテナ、非選択アンテナ）
３，８  アンテナスイッチ（切替スイッチ）
４  無線部
９Ａ，１０Ａ  位相調整回路（開状態用の位相調整部）
９Ｂ，１０Ｂ  位相調整回路（閉状態用の位相調整部）
１１  開閉検出部（開閉検出手段）
１２，１３  位相調整回路（位相調整部）
３１，３２  コイル（位相変化手段）
３３  コンデンサ（位相変化手段）
３４  コンデンサ（容量変更手段）
３５  抵抗（容量変更手段）
３６  バラクタダイオード（可変容量素子、容量変更手段）
【図１】
0003726055.tif 000002
【図２】
0003726055.tif 000003
【図３】
0003726055.tif 000004
【図４】
0003726055.tif 000005
【図５】
0003726055.tif 000006
【図６】
0003726055.tif 000007
【図７】
0003726055.tif 000008
【図８】
0003726055.tif 000009